(57)【要約】【課題】レンズの全周を覆う樹脂製のリムを備える眼鏡フレームにおいて、レンズの着脱を簡単にすることのできる眼鏡フレームを提供する。【解決手段】レンズ１０の全周を覆う樹脂製のリム２０と、リム２０に取り付けられる智３０と、を備える眼鏡フレーム１００において、リム２０は、智３０が取り付けられる付近が、レンズ１０の着脱を可能とせしめるために分離可能に構成されており、リム２０における分離部を介した一方の端部と他方の端部とを固定する固定部が、智３０に設けられていることを特徴とする。【選択図】図１
2010025990.tif 000002
【特許請求の範囲】
【請求項１】
レンズの全周を覆う樹脂製のリムと、
該リムに取り付けられる智と、
を備える眼鏡フレームにおいて、
前記リムは、前記智が取り付けられる付近が、レンズの着脱を可能とせしめるために分離可能に構成されており、
前記リムにおける分離部を介した一方の端部と他方の端部とを固定する固定部が、前記智に設けられていることを特徴とする眼鏡フレーム。
【請求項２】
前記一方の端部と他方の端部には、それぞれ表裏方向に向かって貫通する貫通孔が設けられており、
前記智に設けられた固定部は、前記一方の端部に設けられた貫通孔と他方の端部に設けられた貫通孔とを一致させた状態で、これらの貫通孔を挿通させるピン部を備えることを特徴とする請求項１に記載の眼鏡フレーム。
【請求項３】
前記一方の端部と他方の端部には、それぞれ表裏方向に向かって貫通する貫通孔が設けられており、
前記智に設けられた固定部は、略Ｕ字形状の挟持部によって構成されており、
前記一方の端部に設けられた貫通孔と他方の端部に設けられた貫通孔とを一致させた状態で、前記挟持部の一端部を、これらの貫通孔に挿通させることによって、これらの貫通孔の内壁面と、前記一方の端部及び他方の端部のうち少なくともいずれか一方の外壁面とが前記挟持部によって挟み込まれることを特徴とする請求項１に記載の眼鏡フレーム。
【請求項４】
前記一方の端部には表裏面の間に形成される溝が設けられており、該一方の端部に設けられる貫通孔は、この溝を挟んで表側と裏側にそれぞれ形成されており、
前記他方の端部が、この溝内に嵌め込まれることで、一方の端部に設けられた一対の貫通孔と他方の端部に設けられた貫通孔が一致するように構成されていることを特徴とする請求項２または３に記載の眼鏡フレーム。
【請求項５】
前記リムに着脱自在な装飾品を備え、
前記智に設けられた固定部によって、前記一方の端部と他方の端部とが固定されると同時に、前記装飾品も前記リムに固定されることを特徴とする請求項１〜４のいずれか一つに記載の眼鏡フレーム。
【発明の詳細な説明】
【技術分野】
【０００１】
本発明は、樹脂製のリムを有する眼鏡フレームに関するものである。
【背景技術】
【０００２】
従来、レンズの全周を覆う樹脂製のリムを備えた眼鏡フレームが知られている。このような眼鏡フレームにおいては、リムにレンズを取り付ける場合、リムを暖めて柔らかくした状態でレンズを取り付けるのが一般的である。例えば、アセテート製のリムの場合には７０〜８０℃に暖め、ナイロン製のリムの場合には８０〜９０℃に暖める必要がある。また、レンズをリムから取り外す場合には、力を入れて無理やりレンズをリムから取り外すのが一般的である。
【０００３】
このように、従来例に係る眼鏡フレームの場合には、リムにレンズを取り付けるのに手間がかかっていた。また、レンズを取り外す際に、リムからレンズを無理やり外していたので、リムが変形したり傷ついたりするなど、リムに悪影響を及ぼすおそれもあった。
【０００４】
なお、関連する技術としては、特許文献１に開示された技術がある。
【特許文献１】特開２０００−１２２０１０号公報
【発明の開示】
【発明が解決しようとする課題】
【０００５】
本発明の目的は、レンズの全周を覆う樹脂製のリムを備える眼鏡フレームにおいて、レンズの着脱を簡単にすることのできる眼鏡フレームを提供することにある。
【課題を解決するための手段】
【０００６】
本発明は、上記課題を解決するために以下の手段を採用した。
【０００７】
すなわち、本発明の眼鏡フレームは、
レンズの全周を覆う樹脂製のリムと、
該リムに取り付けられる智と、
を備える眼鏡フレームにおいて、
前記リムは、前記智が取り付けられる付近が、レンズの着脱を可能とせしめるために分離可能に構成されており、
前記リムにおける分離部を介した一方の端部と他方の端部とを固定する固定部が、前記智に設けられていることを特徴とする。
【０００８】
本発明によれば、リムにおいて、智が取り付けられる付近が分離可能に構成されているので、レンズの着脱を簡単に行うことができる。そして、これら一方の端部と他方の端部は、智に設けられた固定部によって固定されるので、これらを固定するための専用部品を別途必要とすることもない。従って、部品点数が増加してしまうことはない。
【０００９】
前記一方の端部と他方の端部には、それぞれ表裏方向に向かって貫通する貫通孔が設けられており、
前記智に設けられた固定部は、前記一方の端部に設けられた貫通孔と他方の端部に設けられた貫通孔とを一致させた状態で、これらの貫通孔を挿通させるピン部を備えるとよい。
【００１０】
これにより、ピン部を挿通させることで、一方の端部と他方の端部は、各々の貫通孔が
一致した状態で保持される。
【００１１】
前記一方の端部と他方の端部には、それぞれ表裏方向に向かって貫通する貫通孔が設けられており、
前記智に設けられた固定部は、略Ｕ字形状の挟持部によって構成されており、
前記一方の端部に設けられた貫通孔と他方の端部に設けられた貫通孔とを一致させた状態で、前記挟持部の一端部を、これらの貫通孔に挿通させることによって、これらの貫通孔の内壁面と、前記一方の端部及び他方の端部のうち少なくともいずれか一方の外壁面とが前記挟持部によって挟み込まれるとよい。
【００１２】
これにより、より確実に一方の端部と他方の端部とを固定することができる。
【００１３】
前記一方の端部には表裏面の間に形成される溝が設けられており、該一方の端部に設けられる貫通孔は、この溝を挟んで表側と裏側にそれぞれ形成されており、
前記他方の端部が、この溝内に嵌め込まれることで、一方の端部に設けられた一対の貫通孔と他方の端部に設けられた貫通孔が一致するように構成されているとよい。
【００１４】
これにより、他方の端部は一方の端部に設けられた溝に嵌め込まれた状態で固定されるので、一方の端部と他方の端部とをより安定的に固定させることができる。
【００１５】
前記リムに着脱自在な装飾品を備え、
前記智に設けられた固定部によって、前記一方の端部と他方の端部とが固定されると同時に、前記装飾品も前記リムに固定されるとよい。
【００１６】
これにより、智に設けられた固定部によって、一方の端部と他方の端部とを固定するだけでなく、装飾品も同時に固定させることができる。
【００１７】
なお、上記各構成は、可能な限り組み合わせて採用し得る。
【発明の効果】
【００１８】
以上説明したように、本発明によれば、レンズの全周を覆う樹脂製のリムを備える眼鏡フレームにおいて、レンズの着脱を簡単にすることができる。
【発明を実施するための最良の形態】
【００１９】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２０】
（実施例１）
図１〜図５を参照して、本発明の実施例１に係る眼鏡フレームについて説明する。図１は本発明の実施例１に係る眼鏡フレームにレンズを取り付けた状態を示した正面図である。ただし、図１においては、眼鏡フレームのうちテンプル等については省略している。また、パッドについては透視した状態で示している。図２は本発明の実施例１に係る眼鏡フレームにおけるリムの正面図である。なお、図２において、リムに取り付けられたパッドについては透視した状態で示している。図３は本発明の実施例１に係る眼鏡フレームにおけるリムに智を取り付ける様子を示す上面図である。図４は本発明の実施例１に係る眼鏡フレームにおけるリムと智との固定部を示す拡大透視図である。図５は本発明の実施例１に係る眼鏡フレームにおけるリムと智との固定部の構造を示す図である。
【００２１】
＜眼鏡フレーム＞
特に、図１〜図３を参照して、本発明の実施例１に係る眼鏡フレーム全体の構成を説明する。本実施例に係る眼鏡フレームは、左右一対のリムとブリッジが一体に構成されている。
【００２２】
そして、本実施例に係る眼鏡フレーム１００におけるリム２０は、レンズ１０の全周を覆うように構成されている。また、本実施例に係るリム２０は樹脂材により構成されている。勿論、リム２０と一体に構成されたブリッジに相当する部分も樹脂材により構成されている。また、リム２０の内側にはパッド１５が取り付けられ、外側には智３０が取り付けられる。
【００２３】
そして、本実施例に係るリム２０においては、智３０が取り付けられる付近が分離可能に構成されている。図２においては、分離部２１を介した一方の端部２１Ａと他方の端部２１Ｂとを引き離した状態を示している。なお、説明の便宜上、分離部２１を介した上方の端部を一方の端部２１Ａと称し、下方の端部を他方の端部２１Ｂと称することにする。
【００２４】
一方の端部２１Ａと他方の端部２１Ｂには、それぞれ表裏方向に向かって貫通する貫通孔２２，２３が設けられている。また、一方の端部２１Ａと他方の端部２１Ｂの外側の外壁面には、それぞれ溝２４，２５が設けられている。
【００２５】
そして、本実施例に係る眼鏡フレーム１００においては、これら一方の端部２１Ａと他方の端部２１Ｂが、智３０によって固定されるように構成されている。以下、この固定構造について詳細に説明する。
【００２６】
＜智による固定構造＞
特に、図３〜図５を参照して、智３０によって、一方の端部２１Ａと他方の端部２１Ｂとを固定する固定構造について詳細に説明する。
【００２７】
本実施例において、一方の端部２１Ａには、表裏面の間に形成される溝２６が設けられている。これにより、一方の端部２１Ａに設けられる貫通孔２２は、この溝２６を挟んで表側と裏側にそれぞれ形成されている（図５参照）。そして、他方の端部２１Ｂは、この溝２６に嵌め込まれるように構成されている。
【００２８】
図５において、（Ａ）は一方の端部２１Ａと他方の端部２１Ｂを引き離した状態を示し、（Ｂ）は一方の端部２１Ａと他方の端部２１Ｂを固定した状態を示している。図５（Ｂ）から分かるように、一方の端部２１Ａと他方の端部２１Ｂとを固定した状態においては、他方の端部２１Ｂは一方の端部２１Ａに設けられた溝２６に嵌め込まれている。
【００２９】
他方の端部２１Ｂを一方の端部２１Ａに設けられた溝２６に嵌め込んだ状態においては、一方の端部２１Ａに設けられた貫通孔（一対の貫通孔）２２と他方の端部２１Ｂに設けられた貫通孔２３とが一致するように構成されている。
【００３０】
そして、智３０には、一方の端部２１Ａと他方の端部２１Ｂとを固定する固定部としての略Ｕ字形状の挟持部３１が設けられている。なお、智３０の全体的な形状は、略Ｓ字形状である。そして、この智３０の一端側には、テンプルに結合する結合部３４が設けられている。また、この智３０の他端側の先端はピン部３２を構成している。上述した略Ｕ字形状の挟持部３１の一部が、このピン部３２である。また、挟持部３１において、ピン部３２に対向する部分には、凹部３３が設けられている。
【００３１】
そして、智３０によって、一方の端部２１Ａと他方の端部２１Ｂとを固定する際には、
まず、他方の端部２１Ｂを一方の端部２１Ａに設けられた溝２６に嵌め込む。これにより、上記の通り、一方の端部２１Ａに設けられた貫通孔（一対の貫通孔）２２と他方の端部２１Ｂに設けられた貫通孔２３とが一致する。そして、智３０に設けられたピン部３２を、これらの貫通孔２２，２３に挿通させる（図３参照）。なお、貫通孔２２，２３の孔径は、ピン部３２の外径と同程度に設定されている。
【００３２】
ここで、智３０に設けられたピン部３２を、貫通孔２２，２３に挿通させる際においては、結合部３４側が外側を向いた状態で挿通させる。すると、挟持部３１のうちピン部３２に対向する部分が、一方の端部２１Ａと他方の端部２１Ｂの外側の外壁面にそれぞれ設けられた溝２４，２５に嵌まった状態となる。これにより、挟持部３１におけるピン部３２と、ピン部３２に対向する部分（特に凹部３３が設けられている付近）とによって、貫通孔２２，２３の内壁面と、一方の端部２１Ａ及び他方の端部２１Ｂの外壁面とが挟み込まれた状態となる。
【００３３】
＜本実施例の優れた点＞
以上のように、本実施例に係る眼鏡フレーム１００によれば、リム２０において、智３０が取り付けられる付近が分離可能に構成されている。従って、図２に示すように、分離部２１を介した一方の端部２１Ａと他方の端部２１Ｂとを引き離した状態とすることによって、レンズ１０の着脱を簡単に行うことができる。
【００３４】
そして、これら一方の端部２１Ａと他方の端部２１Ｂは、智３０に設けられた固定部としての挟持部３１によって固定されるので、これらを固定するための専用部品を別途必要とすることもない。従って、部品点数が増加してしまうことはない。
【００３５】
また、本実施例においては、一方の端部２１Ａと他方の端部２１Ｂとを固定させる場合には、一方の端部２１Ａと他方の端部２１Ｂにそれぞれ設けられた貫通孔２２，２３を一致させた状態で、智３０に設けられたピン部３２を、これらの貫通孔２２，２３に挿通させる。
【００３６】
したがって、一方の端部２１Ａと他方の端部２１Ｂは、各々の貫通孔２２，２３が一致した状態で保持される。なお、貫通孔２２，２３の孔径を、ピン部３２の外径と同じか僅かに小さく設定しておき、ピン部３２を貫通孔２２，２３に圧入させる構成を採用してもよい。この場合には、ピン部３２を挿通させただけで、一方の端部２１Ａと他方の端部２１Ｂとが、ある程度固定される。
【００３７】
また、本実施例においては、略Ｕ字形状の挟持部３１によって、貫通孔２２，２３の内壁面と、一方の端部２１Ａ及び他方の端部２１Ｂの外壁面とを挟み込むことで、一方の端部２１Ａと他方の端部２１Ｂとを固定する構成を採用している。
【００３８】
これにより、より確実に一方の端部２１Ａと他方の端部２１Ｂとを固定することができる。
【００３９】
更に、本実施例においては、一方の端部２１Ａには表裏面の間に形成される溝２６が設けられており、他方の端部２１Ｂが、この溝２６内に嵌め込まれる構成を採用している。
【００４０】
従って、他方の端部２１Ｂは一方の端部２１Ａに設けられた溝２６に嵌め込まれた状態で固定されるので、一方の端部２１Ａと他方の端部２１Ｂとをより安定的に固定させることができる。なお、本実施例では、上方の端部に溝を設け、下方の端部をこの溝に嵌め込む場合の構成を示したが、下方の端部に溝を設け、上方の端部をこの溝に嵌め込む構成を採用してもよいことは言うまでもない。
【００４１】
（実施例２）
図６及び図７には、本発明の実施例２が示されている。上記実施例１では、一方の端部に設けられた溝に他方の端部が嵌め込まれる構成について示したが、本実施例では、一方の端部と他方の端部を重ね合わせる構成を示す。その他の基本的な構成および作用については実施例１と同一なので、同一の構成部分については同一の符号を付して、その説明は省略する。
【００４２】
図６及び図７は本発明の実施例２に係る眼鏡フレームにおけるリムと智の固定部の構造を示す図である。
【００４３】
本実施例では、リム２０において、分離部２１を介した一方の端部２１Ａ’，２１Ａ”と他方の端部２１Ｂ’，２１Ｂ”が、それぞれ段差を有する構成となっている。そして、互いの段差が埋まるように一方の端部２１Ａ’，２１Ａ”と他方の端部２１Ｂ’，２１Ｂ”を重ね合わせることで、一方の端部２１Ａ’，２１Ａ”に設けられた貫通孔２２と他方の端部２１Ｂ’，２１Ｂ”に設けられた貫通孔２３が一致するように構成されている。
【００４４】
なお、図６においては、一方の端部２１Ａ’側は裏面側（眼鏡をかけた際に顔面に対向する面側）が下に向かって突出し、他方の端部２１Ｂ’側は表面側が上に向かって突出する場合の構成を示している。そして、図７においては、一方の端部２１Ａ”側は表面側が下に向かって突出し、他方の端部２１Ｂ”側は裏面側が上に向かって突出する場合の構成を示している。
【００４５】
そして、本実施例の場合においても、一方の端部２１Ａ’，２１Ａ”と他方の端部２１Ｂ’，２１Ｂ”とを固定する場合には、上記実施例１で示した智３０に設けられたピン部３２を、これらの貫通孔２２，２３に挿通させる。これにより、上記実施例１の場合と同様に、一方の端部２１Ａ’，２１Ａ”と他方の端部２１Ｂ’，２１Ｂ”は、各々の貫通孔２２，２３が一致した状態で保持される。なお、智３０に設けられた挟持部３１におけるピン部３２と、ピン部３２に対向する部分とによって、貫通孔２２，２３の内壁面と、一方の端部２１Ａ’，２１Ａ”と他方の端部２１Ｂ’，２１Ｂ”の外壁面とが挟み込まれた状態となることについても、上記実施例１の場合と同様である。
【００４６】
以上のように、本実施例においても、上記実施例１の場合と同様に、分離部２１を介した一方の端部２１Ａ’，２１Ａ”と他方の端部２１Ｂ’，２１Ｂ”とを引き離した状態とすることによって、レンズ１０の着脱を簡単に行うことができる。
【００４７】
（実施例３）
図８には、本発明の実施例３が示されている。本実施例においては、上記実施例１または２の構成に対して、更に着脱自在な装飾品を加える構成を説明する。その他の基本的な構成および作用については実施例１と同一なので、同一の構成部分については同一の符号を付して、その説明は省略する。
【００４８】
図８は本発明の実施例３に係る眼鏡フレームに装飾品を取り付ける様子を説明する説明図である。なお、図８においては、眼鏡フレームのうちテンプル等については省略している。また、パッドについては透視した状態で示している。
【００４９】
図８には、眼鏡フレーム１００のリム２０に、オプションとして取り付けることのできる装飾品４０が示されている。この装飾品４０は、眼鏡フレーム１００の表面側（正面側）に着脱自在に設けられるものである。そして、この装飾品４０の両端には、それぞれ表裏方向に向かって貫通する貫通孔４１が設けられている。
【００５０】
また、この装飾品４０を眼鏡フレーム１００の所定の位置に重ねると、これら一対の貫通孔４１は、上記実施例で示した一方の端部２１Ａ，２１Ａ’，２１Ａ”と他方の端部２１Ｂ，２１Ｂ’，２１Ｂ”にそれぞれ設けられた貫通孔２２，２３と一致するように構成されている。
【００５１】
そして、これらの貫通孔２２，２３，４１を一致させた状態で、智３０に設けられたピン部３２を挿通させることで、一方の端部２１Ａ，２１Ａ’，２１Ａ”と他方の端部２１Ｂ，２１Ｂ’，２１Ｂ”が、各々の貫通孔２２，２３が一致した状態で保持されると同時に、装飾品４０が眼鏡フレーム１００に固定される。
【００５２】
なお、本実施例においては、貫通孔４１の孔径をピン部３２の外径と同じか僅かに小さく設定しておき、ピン部３２を貫通孔４１に圧入させることで、装飾品４０が眼鏡フレーム１００に固定される構成を採用している。
【００５３】
しかしながら、上記実施例１で説明したように、智３０における略Ｕ字形状の挟持部３１による挟み込みを利用して、装飾品４０が眼鏡フレーム１００に固定される構成を採用することもできることは言うまでもない。
【図面の簡単な説明】
【００５４】
【図１】図１は本発明の実施例１に係る眼鏡フレームにレンズを取り付けた状態を示した正面図である。
【図２】図２は本発明の実施例１に係る眼鏡フレームにおけるリムの正面図である。
【図３】図３は本発明の実施例１に係る眼鏡フレームにおけるリムに智を取り付ける様子を示す上面図である。
【図４】図４は本発明の実施例１に係る眼鏡フレームにおけるリムと智との固定部を示す拡大透視図である。
【図５】図５は本発明の実施例１に係る眼鏡フレームにおけるリムと智との固定部の構造を示す図である。
【図６】図６は本発明の実施例２に係る眼鏡フレームにおけるリムと智の固定部の構造を示す図である。
【図７】図７は本発明の実施例２に係る眼鏡フレームにおけるリムと智の固定部の構造を示す図である。
【図８】図８は本発明の実施例３に係る眼鏡フレームに装飾品を取り付ける様子を説明する説明図である。
【符号の説明】
【００５５】
１０  レンズ
１５  パッド
２０  リム
２１  分離部
２１Ａ，２１Ａ’，２１Ａ”  一方の端部
２１Ｂ，２１Ｂ’，２１Ｂ”  他方の端部
２２，２３  貫通孔
２４，２５  溝
２６  溝
３０  智
３１  挟持部
３２  ピン部
３３  凹部
３４  結合部
４０  装飾品
４１  貫通孔
１００  眼鏡フレーム
【図１】
2010025990.tif 000003
【図２】
2010025990.tif 000004
【図３】
2010025990.tif 000005
【図４】
2010025990.tif 000006
【図５】
2010025990.tif 000007
【図６】
2010025990.tif 000008
【図７】
2010025990.tif 000009
【図８】
2010025990.tif 000010